(57)【要約】      （修正有）【課題】引戸閉じ動作の後半部分を確実且つスムースに行えるようにすることに加え、その調整作業を不要とする。【解決手段】キャッチ体３がフック体１に係合した状態で引戸開動作により引きバネ６３を所定量延伸した時点でフック体１から外れて本体ボディ２１側に固定され、引戸閉動作によりフック体１と再係合して本体ボディ２１側から外れ、エアダンパ７の作用で緩衝されながら引きバネ６３の弾性収縮力で引戸閉動作後半部分のうち完全閉止までの所定範囲を自動的に行う引戸クローザー２におけるフック体１であって、基端に戸枠の所定位置に取り付けるための取付基板１ａを有するとともに、その先端側に所定の長さを有するアーム１ｂが所定の角度範囲で回動可能に且つ下側へ付勢されて軸着され、且つアーム１ｂの先端に全体がアーム１ｂに直交する方向へ延びるキャッチ体３への係合部１ｅを形成する。【選択図】図４
2009264073.tif 000002
【特許請求の範囲】
【請求項１】
引きバネを備えて引戸上端側に付設され、該引戸上端側を水平方向に案内する戸枠の所定位置から下向きに突設したフック体に下側から係合するキャッチ体が前記引戸の長手方向所定範囲で往復摺動可能に突設され、前記キャッチ体を前記引きバネで摺動させて前記引戸を閉方向に付勢するものであって、前記キャッチ体が前記フック体に係合した状態で引戸開動作により前記引きバネを所定量延伸した時点で前記フック体から外れて本体ボディ側に固定され、引戸閉動作により前記フック体と再係合して前記本体ボディ側から外れ、前記エアダンパの作用で緩衝されながら前記引きバネの弾性収縮力で前記引戸閉動作後半部分のうち完全閉止までの所定範囲を自動的に行う引戸クローザーにおけるフック体であって、基端に前記戸枠の所定位置に取り付けるための取付基板を有するとともに、その先端側に所定の長さを有するアームが所定の角度範囲で回動可能に且つ下側へ付勢されて軸着され、且つ前記アームの先端に全体が前記アームに直交する方向へ延びる前記キャッチ体への係合部が形成されていることを特徴とする引戸クローザーにおけるフック体。
【請求項２】
前記キャッチ体への係合部の外形が円柱形であることを特徴とする請求項１記載の引戸クローザーにおけるフック体。
【発明の詳細な説明】
【技術分野】
【０００１】
本発明は、引戸閉止機構が引戸上端側に付設されこれに係合されるフック体が戸枠側に設けられて、引戸閉じ動作のうち少なくとも最終部分をアシストまたは自動化する引戸クローザーのフック体の改良に関するものである。
【背景技術】
【０００２】
従来、引戸を閉める際、閉める勢いが強すぎると引戸が戸枠に跳ね返り完全に閉まらないことがある。そのため、引戸閉じ動作の後半部分は勢いをつけずにゆっくり閉めるなどして対応するが、これでは余分な時間と力を要することになり、また、引戸が跳ね返って開いた部分を閉じる際には、引戸が再度跳ね返らないように閉じ動作の最終部分を強く押圧するなどの手間を要することを解消する引き戸クローザーが例えば特開平１１−２２９７０５号公報に提示されている。
【０００３】
この引戸クローザは、引戸側に係合手段を有した引戸閉止機構を設けるとともに戸枠側には被係合手段（フック体）を設けて、引戸を閉じ方向に移動させることで被係合手段に係合した係合手段（キャッチ体）が、引戸閉止機構に内装した引きバネ等の付勢手段により相対移動されて引戸を自動的に戸枠に当接させるようにしたものである。
【０００４】
また、本出願人は、機能的に優れたキャッチ体とフック体とを備えた前記構成の引戸クローザを提案した（特願２００６−３４４９５０号）、この引戸クローザは、図７乃至図９に示すように、引戸４の上端面に埋設される本体ボディ２１から突出させたキャッチ体３は、上端部に係合バー３１，３２が並列してなるものであり、係合バー３１，３２の間でフック体１の角柱状の係合部１ｅを保持して係合するようになっており、キャッチ体３がフック体１と係合した状態で、引戸開動作で摺動ブロック６１が先端側に向かって摺動することにより、引きバネ６３が延伸されるとともに摺動端側でキャッチャ体３が転動してスリット２２先端側の陥凹部２３に一方の係合バー３２が落ち込み、フック体１から外れるようになっている。
【０００５】
そして、前記フック体１は図１０（Ａ）に示すように、内装したネジ１ｆを回動させることでスライド板１ｇが上下にスライドするようになっており、このスライド板１ｇ下面からロッド１ｈが延設されてフック体１を上下に動作させるようになっている。従って、図１０（Ｂ）に示すように、下面側に露出したネジ１ｆの頭を下方からドライバなどで回すことで、フック体１の下方向への突出量を調整することができ、引戸４側のキャッチ体３と戸枠５側のフック体１との高さ位置調整が行える。
【０００６】
しかしながら、前記従来のフック体は調整機構がネジを用いるなど構成が複雑であるばかりか設置時や長期の使用後に調整が必要であるという問題がある。
【特許文献１】特開平１１−２２９７０５号公報
【特許文献２】特願２００６−３４４９５０号
【発明の開示】
【発明が解決しようとする課題】
【０００７】
本発明は、上記のような問題点を解決しようとするものであり、引戸クローザーについて、引戸閉じ動作の後半部分を確実且つスムースに行えるようにすることに加え、その調整作業を不要とすることを課題とする。
【課題を解決するための手段】
【０００８】
そこで、本発明は、引きバネを備えて引戸上端側に付設され、該引戸上端側を水平方向に案内する戸枠の所定位置から下向きに突設したフック体に下側から係合するキャッチ体が前記引戸の長手方向所定範囲で往復摺動可能に突設され、前記キャッチ体を前記引きバネで摺動させて前記引戸を閉方向に付勢するものであって、前記キャッチ体が前記フック体に係合した状態で引戸開動作により前記引きバネを所定量延伸した時点で前記フック体から外れて本体ボディ側に固定され、引戸閉動作により前記フック体と再係合して前記本体ボディ側から外れ、前記エアダンパの作用で緩衝されながら前記引きバネの弾性収縮力で前記引戸閉動作後半部分のうち完全閉止までの所定範囲を自動的に行う引戸クローザーにおけるフック体であって、基端に前記戸枠の所定位置に取り付けるための取付基板を有するとともに、その先端側に所定の長さを有するアームが所定の角度範囲で回動可能に且つ下側へ付勢されて軸着され、且つ前記アームの先端に全体が前記アームに直交する方向へ延びる前記キャッチ体への係合部が形成されていることを特徴とする。
【０００９】
また、本発明において、前記キャッチ体への係合部の外形が円柱形であると係合ならびに離脱が円滑に行われる。
【発明の効果】
【００１０】
本発明によれば、引戸閉じ動作の後半部分をスムース且つ確実に行えることに加え、特に、調整作業の不要化を実現できる。
【発明を実施するための最良の形態】
【００１１】
以下に、図面を参照しながら本発明を実施するための最良の形態を説明する。
【００１２】
図１は本実施の形態であるフック体１、図２は前記本実施の形態を使用した引戸クローザー２の縦断面図、図３は前記引戸クローザー２の取り付け状態、図４は前記引戸クローザー２の分解斜視図を示すものであり、互いに対向して配置される一対のフック体１を係合するキャッチ体３を有する引戸クローザー２は、その厚さ（図中奥行き方向）が付設する引戸４の厚さよりも薄く、本体ボディ２１の上面が引戸上端面に面一になるように引戸４内に埋め込まれて使用されるものであり、係合手段である一対のキャッチ体３が引戸上端面から上方向に突出して設けられ、被係合手段である本発明のフック体１が戸枠５の引戸案内部分の所定位置から下方向に突出するように設けられる。
【００１３】
引戸クローザー２の本体ボディ２１は、図３に示すように、例えば所定形状に切断したステンレスなどの鋼板を屈曲して形成し、或いは硬質の合成樹脂により成型されたなる箸箱状のものであり、収装体２１ａとその上側開口部に被せて蓋をする蓋体２１ｂとからなる。そして、蓋体２１ｂ上面の略中央位置から先端（図中右）側に亘ってスリット２２が開口しており、この開口部分でキャッチ体３を外側に露出させ、スリット２２の長手方向に摺動させるようになっている。
【００１４】
各フック体１は、図１に示すように、基端に戸枠５の所定位置に取り付けるための取付基板１ａを有するとともに、その先端側に所定の長さを有するアーム１ｂが軸１ｃと挟みばね１ｄにより所定の角度範囲で回動可能に且つ下側へ付勢されて軸着され、且つ前記アーム１ｂの先端に全体が前記アーム１ｂに直交する方向へ延びる前記キャッチ体３への円柱形の係合部１ｅが形成されている。
【００１５】
そして、フック体１にキャッチ体３が係合した状態で摺動させて引戸４の閉動作を行う引戸閉止機構は、収装体２１ａ内で内壁に略密着する厚さを有し収装体２１ａの長手方向に摺動する略方形の摺動ブロック６１備えており、この摺動ブロック６１はその基端（図中左）側面から突設した繋留リング６１ａとバネ固定部材６２側の繋留ピン６２ａとの間に架設された引きバネ６３の弾性収縮力により動作するようになっている。
【００１６】
また、摺動ブロック６１の基端側面から延設された円柱状のピストンロッド７１及びその先端側で環状のシール部材７２を設けたピストンヘッド７３からなるピストン７４と、基端側を栓体７５で閉鎖されこのピストン７４を挿入するシリンダ７５と、からなるエアダンパ７を備えており、手動及び引きバネ６３による引戸閉動作を緩衝するようになっている。
【００１７】
そして、摺動ブロック６１には上方からキャッチャー３が挿設されるが、このキャッチャー３は台形状を有しており、摺動ブロック６１の先端側面及び上面から所定幅・所定深さで設けた揺動溝６４中でピン６５により貫通・軸支され上部側を摺動方向に沿う面で揺動可能とされており、その上端部に設けられたキャッチ体３を蓋体２１ｂ上面側に露出して、摺動ブロック６１とともにスリット２２の長手方向に沿って摺動するようになっている。
【００１８】
このキャッチ体３は、上端部でその厚さ方向（本体ボディ２１の厚さ方向に一致）両側にスリット２２の幅を超えて突出する係合バー３１，３２が並列してなるものであり、係合バー３１，３２の間で各フック体１の円柱状の係合部１ｅ,１ｅを保持して係合する。
【００１９】
そして、キャッチ体３がフック体１と係合した状態で、引戸開動作で摺動ブロック６１が先端側に向かって摺動することにより、引きバネ６３が延伸されるとともに摺動端側でキャッチ体３が転動してスリット２２の先端側の陥凹部２３に係合バー３１,３２が落ち込み、フック体１から外れる。
【００２０】
引戸閉動作に入ると、従来のものと同様に、引戸４の上端面から突出したままのもう一方の係合バー３２に、フック体１が衝突することによりキャッチャー３が起立して、再度係合する。
【００２１】
即ち、エアダンパ７は、引きバネ６３の下側に縦方向に並列して設けられており、引戸閉止機構の厚さを最小限に抑えたものとなっている。これにより、引戸クローザー２本体ボディ２１の厚さを抑えて引戸４の上端側内部に埋め込むことを容易にし、従来の引戸クローザーの戸閉止機構が引戸上端面から上方向に突設され、戸枠内部にこれを収納する比較的大きなスペースを要して汎用性に欠けていたのに対し、使用する戸枠を選んだり改造したりする必要性がなく汎用性の高いものとなっており、且つ、引戸の取り外し・装着作業を簡易な手順で実施可能として、各種調整作業の容易化を実現している。
【００２２】
次に、図５を参照しながら本実施の形態の動作を説明する。
【００２３】
図５（Ａ）に示す引戸４の完全閉止状態では、摺動ブロック６１は本体ボディ２１中央部に位置した状態であり、このときキャッチ体３はフック体１と係合しており、引きバネ６３はバネ張力が低い状態となっている。
【００２４】
引戸４を手で引いて引戸開動作を行うと、キャッチャ体３はフック体１に係合している状態であるため、摺動ブロック６１が本体ボディ２１内で相対的に先端側に移動させられることになり、引きバネ６３は伸張されてバネ張力によるエネルギーを蓄える。
【００２５】
そして、図５（Ｂ）に示すように、キャッチャ体３が本体ボディ２１の最先端側に移動すると、その係合バー３２がフック体１に押されてキャッチャ体３を右回りに転動させて転倒させる。すると、蓋体２１ｂのスリット２２先端側に設けた陥凹部２３に係合バー３２が落ち込み、キャッチャ体３及び摺動ブロック６１がこの位置で本体ボディ２１側に固定されるとともに、フック体１との係合状態が解除されて引戸４がフリーとなる。
【００２６】
次に、引戸４の閉動作に入り、引戸４側端面が戸枠５側面に接近すると、今度はキャッチ体３の係合バー３１がフック体１に衝突し、キャッチャ体３を左回りに転動させて起立させ、係合バー３２が陥凹部２３から外れてキャッチ体３がフック体１に再係合するとともに、摺動ブロック６１は本体ボディ２１側との固定状態が解除される。すると、図５（Ｃ）に示すように引きバネ６３の弾性収縮力で摺動ブロック６１は本体ボディ２１内で基端側に移動し、引戸４は相対的にその反対方向に移動して、引戸閉動作の最終部分が自動的に行われる。
【００２７】
このとき、引きバネ６３の作用及び手動による引戸４の閉方向の勢いは、引きバネ６３に並列して設けられたエアダンパ７で緩衝されて、引戸４が戸枠５に強く衝突することが回避されるものである。
【００２８】
特に、本実施の形態においては、フック体１は、基端に戸枠５の所定位置に取り付けるための取付基板１ａを有するとともに、その先端側に所定の長さを有するアーム１ｂが軸１ｃと挟みばね１ｄにより所定の角度範囲で回動可能に且つ下側へ付勢されて軸着され、且つ前記アーム１ｂの先端に全体が前記アーム１ｂに直交する方向へ延びる前記キャッチ体３への円柱形の係合部１ｅが形成されている構成であり、前記所定の角度範囲が、取付基板１ａを戸枠５の所定位置に取り付けたときに、前記挟みばね１ｄにより少なくとも先端の係合部１ｅが引戸４に取り付けられたキャッチャ体３に押圧状態で係合バー３１,３２に係合するような付勢力を発揮させることが可能な角度範囲に予め設定してある。
【００２９】
従って、施工者はフック体１を戸枠５の所定の位置に取り付けるだけでキャッチ体３との高さ位置を調整することを要しないので従来の高さ位置を調整しながら取り付けるフック体の場合に比べて取付作業がきわめて簡単である。
【００３０】
また、フック体１は取付後は引戸４の閉じ位置では常時キャッチャ体３に係止可能に付勢されていることから、取付後に通常の許容範囲で引戸４が下がったりしても高さ調整の必要性がなく、きわめて便利である。
【００３１】
尚、本実施の形態では、アーム１ｂにおける係合部１ｅの突設位置を対称にした一対の係合フック１,１を用いたことによりきわめて安定した状態でキャッチャ体３に係合することができるという利点を有しているが、何れか一方だけを用いてもよいことはいうまでもない。
【００３２】
また、図６は本発明の異なる実施の形態を示すものであり、各構成は前記図１に示したものと同様であるが、前記の一対のフック体１,１の取付基板１ａが直交する連結板により一体的に形成されている。従って、取付基板１ａを戸枠に取り付けるだけで一対のフック体１,１が所定の間隔で配置されることになり、更に取付けが容易である。
【図面の簡単な説明】
【００３３】
【図１】本発明の好ましい実施の形態を示すものであり、（Ａ）は側面図、（Ｂ）は平面図。
【図２】図１の実施の形態であるフック体を有する引戸クローザーの取り付け状態を示す正面図。
【図３】図１の実施の形態であるフック体を有する引戸クローザーを示す拡大断面図。
【図４】図１の実施の形態であるフック体を有する引戸クローザーの分解斜視図。
【図５】（Ａ），（Ｂ），（Ｃ）は、図１の実施の形態であるフック体を有する引戸クローザーの動作を説明するための縦断面図。
【図６】本発明の異なる実施の形態を示す平面図。
【図７】従来例を示す引戸クローザーを示す拡大断面図。
【図８】従来例を示す引戸クローザーを示す分斜視図。
【図９】従来例を示す引戸クローザーの動作を説明するための縦断面図。
【図１０】従来例のフック体の調整方法を説明するための拡大した断面部分図。
【符号の説明】
【００３４】
１  係止フック、２  引戸クローザー、３  キャッチ体、４  引戸  ５  戸枠、２１  本体ボディ、２１ａ  収装体、２１ｂ  蓋体、２３  陥凹部、２２  スリット、３１  係合バー、３２  係合バー、６１  摺動ブロック、６３  引きバネ                                                                        
【図１】
2009264073.tif 000003
【図２】
2009264073.tif 000004
【図３】
2009264073.tif 000005
【図４】
2009264073.tif 000006
【図５】
2009264073.tif 000007
【図６】
2009264073.tif 000008
【図７】
2009264073.tif 000009
【図８】
2009264073.tif 000010
【図９】
2009264073.tif 000011
【図１０】
2009264073.tif 000012